(57)【要約】【課題】大型で施工に際して多大の労力と時間を必要とする礎版を使用することなく強固な布基礎やべた基礎を構築する。【解決手段】地盤を溝型に根切りしてその底面に支持台２を設置し、その上にＰＣ基礎梁部材１を置くとともに、支持台２に吊り上げフック３を係止してこれではしご筋４を吊り上げ、周囲にＰＣ基礎梁部材１の下端部が埋まる高さまでコンクリートを打設して礎版を形成するとともにＰＣ基礎梁部材１と一体化させることを特徴とする。【選択図】        図１
2004238828.tif 000002
【特許請求の範囲】
【請求項１】
地盤を溝形に根切りしてその底面に支持台を設置し、さらにその上にＰＣ基礎梁部材を置くとともに、支持台に吊り上げフックを係止してこれではしご筋を吊り上げ、周囲に前記ＰＣ基礎梁部材の下端部が埋まる高さまでコンクリートを打設して礎版を形成するとともに前記のＰＣ基礎梁部材と一体化させることを特徴とするＰＣ基礎梁部材を使用する布基礎あるいはべた基礎の構築方法。
【請求項２】
前記の支持台が略さいころ状のコンクリート製のものである請求項１に記載のＰＣ基礎梁部材を使用する布基礎あるいはべた基礎の構築方法。
【請求項３】
前記の支持台が縦向きの支持ボルトの下端に直角方向の台筋を取り付け、中間高さに同じく直角方向の施工筋を取り付けたものである請求項１に記載のＰＣ基礎梁部材を使用する布基礎あるいはべた基礎の構築方法。
【請求項４】
前記のＰＣ基礎梁部材が下端部に水平方向の水平溝を設けたものである請求項１ないし３のいずれかに記載のＰＣ基礎梁部材を使用する布基礎あるいはべた基礎の構築方法。
【発明の詳細な説明】
【０００１】
【発明の属する技術分野】
本発明は、工場生産によるプレキャストコンクリート製（以下ＰＣと略す）の基礎梁部材を使用する布基礎、あるいはべた基礎の構築方法に関する。
【０００２】
【従来の技術】
近年、住宅、事務所等の建築物の基礎部分に、工場生産によるＰＣ基礎梁部材を使用して場所打ちコンクリートを極力少なくして工事期間を短縮するとともに基礎部分の信頼性を高めた布基礎あるいはべた基礎等の基礎構造が広く採用されている。
【０００３】
例えば特許文献１には、「コンクリート構造物の設置方法」としてＰＣ基礎梁部材とＰＣ礎版とを使用した布基礎の構築方法が記載されている。図９、１０によりこれを簡単に説明する。
図９はＰＣ基礎梁部材１を示す斜視図で、１７はその端部に形成された縦溝、１８ａ  、１８ｂ  はＰＣ基礎梁部材１の上下に水平方向に設けられた水平孔で、その両端は前記の縦溝１７に開口し、この中に鉄筋が挿入されてＰＣ基礎梁部材が基礎の長手方向に連結される。
【０００４】
図１０は構築された布基礎の断面図で、地盤を溝形に根切りして底部に砂を水平に敷き均したところへ、ＰＣ礎版６を敷き並べ、その上面にＰＣ基礎梁部材１を縦姿勢に載置し、前記したようにＰＣ基礎梁部材１の上下に水平方向に水平筋１６を挿入してＰＣ基礎梁部１の内部空間およびＰＣ礎版６の上面にモルタル６ａを注入充填してＰＣ基礎梁部１およびＰＣ礎版を一体化するとともに、水平筋１６をモルタルを介してＰＣ基礎梁部１に接合することによってＰＣ基礎梁部１およびＰＣ礎版２が基礎方向（長手方向）に接続されるのである。
【０００５】
図１１は、特許文献２に従来の技術として記載されているＰＣ基礎梁部材１の一例を示す正面図、図１２は同じく平面図である。上下２段に水平筋１６およびこれらを連結するあばら筋などの配筋が埋め込まれ、水平筋１６の両端にピン孔を有する継手１９ａ  、１９ｂ  が取り付けられている。継手１９ａ  、１９ｂ  はＰＣ基礎梁部材１の水平方向端面中央に縦向きに設けられた縦溝１７から突出しており、一方の継手１９ａ  はピン孔を有する鋼板が２枚に分かれた受け手、他方の継手１９ｂ  は同様の形状の鋼板１枚でなる差し手となっており、継手１９ａ  の２枚の鋼板の中間に継手１９ｂ  が挿入された状態でピンを挿通することにより隣接するＰＣ基礎梁部材１が相互に連結される。連結後、接続部の隙間にモルタル６ａを注入充填する。
【０００６】
【特許文献１】
特公昭５２−３３４０３号公報
【特許文献２】
特開２０００−２５７０７８号公報
【０００７】
【発明が解決しようとする課題】
ところで、このような工法においては、ＰＣ礎版２が大きな底面積を有し、重量も大きいので、持ち運びや水平出しなどの施工、取り扱いに多大の労力と時間を要するという問題点があった。本発明はＰＣ礎版を簡易な支持台に置き換えることによってこのような問題点を解消し、同等の性能を有する布基礎あるいはべた基礎をより効率的に構築することのできる布基礎あるいはべた基礎ならびにその構築方法を実現することを目的とする。
【０００８】
【課題を解決するための手段】
本発明は、地盤を溝形に根切りしてその底面に支持台を設置し、さらにその上にＰＣ基礎梁部材を置くとともに、支持台に吊り上げフックを係止してこれではしご筋を吊り上げ、周囲に前記ＰＣ基礎梁部材の下端部が埋まる高さまでコンクリートを打設して礎版を形成するとともに前記のＰＣ基礎梁部材と一体化させることを特徴とするＰＣ基礎梁部材を使用する布基礎あるいはべた基礎の構築方法であって、望ましくは前記の支持台が略さいころ状のコンクリート製のものである前記のＰＣ基礎梁部材を使用する布基礎あるいはべた基礎の構築方法であるか、前記の支持台が縦向きの支持ボルトの下端に直角方向の台筋を取り付け、中間高さに同じく直角方向の施工筋を取り付けたものである前記のＰＣ基礎梁部材を使用する布基礎あるいはべた基礎の構築方法であり、また望ましくは前記のＰＣ基礎梁部材が下端部に水平方向の水平溝を設けたものである前記のＰＣ基礎梁部材を使用する布基礎あるいはべた基礎の構築方法である。
【０００９】
【発明の実施の形態】
本発明によれば、従来のＰＣ礎版に代わって、簡易な構造の支持台を局部的に使用することによって労力を軽減し、施工を効率化することができる。
【００１０】
【実施例】
図１は実施例の布基礎を示す斜視図、図２はその断面図で、１はＰＣ基礎梁部材、１１はその上面に形成された段付き部、１２は同じくその上面に埋め込まれたアンカーボルト、１３はＰＣ基礎梁部材１の側面下部に水平方向に形成された水平溝、２は追って詳しく説明する支持台、３はこの支持台２に係止された吊り上げフック、４は吊り上げフック３に吊り上げ支持されたはしご筋、４１はその長手方向に伸びる配力筋、４２はこれと直角方向の主筋、４３は支持台２の近くに長手方向に配置された幅止め筋、５は支持台２の下部に配置される台板、６は礎版となる場所打ちコンクリートである。
【００１１】
本発明の布基礎は、地盤を溝形に根切りしてその底面に必要に応じて台板５を配置してその上に支持台２を設置し、さらにその上にＰＣ基礎梁部材１を置くとともに、支持台２に吊り上げフック３を係止してこれではしご状に組み立てた鉄筋、すなわちはしご筋４を吊り上げ、周囲に例えば幅４５０  ｍｍに型枠を組んで前記ＰＣ基礎梁部材１の下端部が埋まる高さまでコンクリートを打設し、礎版を形成するとともに前記Ｃ基礎梁部材１と一体化させて構築することを特徴とする。支持台２は、両側のＰＣ基礎梁部材１が載りかかるようにＰＣ基礎梁部材１の接合部に配置するのが良い。ＰＣ基礎梁部材１の長手方向の寸法は例えば９５０  ｍｍ、厚さ、すなわち梁幅は１２０  ｍｍである。布基礎の礎版の厚さとしては、１５０  ｍｍ以上という規定があるので、支持台２の高さを  １００ｍｍとすれば、ＰＣ基礎梁部材１の底部から２０〜４０ｍｍの位置に水平溝１３を設け、打設するコンクリートは、水平溝１３の１０ｍｍ上までを目安とすると、所定の礎版厚みが得られた上に図２に示すようにこの溝の中に場所打ちコンクリートが侵入してくさびとなり、ＰＣ基礎梁部材１との一体化がより確実となる。
【００１２】
根切りした地盤の部分が砂、捨てコンクリート等で良好な平面となっている場合には、直接支持台２を設置することができるから、台板５は必要ない。
支持台２は、その上にＰＣ基礎梁部材１が正しく置かれる台であれば良いので高さ寸法がある程度正確でさえあれば、施工中ＰＣ基礎梁部材１を支えるだけでコンクリート硬化後の強度は特に必要ではない。従ってその一例としては、まずさいころ状のコンクリート製のものが挙げられる。図３は支持台２のいくつかの具体例を示す斜視図である。（ａ）は、市販のコンクリートブロックをそのまま支持台２ａとして使用するものである。コンクリートブロックはＪＩＳにより規格化されているが、例えば１０センチブロックと呼ばれているものの並形を中央で半分に切断するか、あるいは予め半分にした並半切と呼ばれるものも市販されている。ちなみにこの図のように置いた場合の寸法は底辺が１９０  ｍｍ×１９０  ｍｍ、高さが１００  ｍｍである。
【００１３】
（ｂ）に示す支持台２ｂは（ａ）の支持台２ａと同じ外形寸法のさいころ状のコンクリートブロックで、軽量化のため中をぬいてある。（ｃ）の支持台２ｃは支持台２ｂの中を抜かずに中実のままとしたものであるが、軽量コンクリート等を使用してできるだけ軽くすることが施工上望ましい。
図４ははしご筋４を示す平面図である。前記したように、はしご筋４は基礎の長手方向の配力筋４１と、これと直角方向の主筋４２で構成されるが、支持台２が配置される付近の配力筋４１の内側に短い幅止め筋４３を取り付けておくと施工が容易である。以上は工場において、スポット溶接等により製作することが望ましい。また、支持台２から吊り上げ支持するために、基礎の長手方向の支持台２の両脇にも主筋４２またはこれに相当する配筋が必要であるが、近くにこれがない場合には図４に示すように現地における施工段階で補助筋４４を配置し、配力筋４１に針金等でしばりつけて固定してもよい。
【００１４】
図５は、支持台２から吊り上げフック３によりはしご筋４の主筋４２を吊り上げている状況を示す部分斜視図である。図３（ｂ）に示したように支持台２の上面にくぼみがある場合には、吊り上げフック３はＳ字形状のものでよいが、上面が平であるときは、吊り上げフック３は支持台２の上にまたがる長さとし、両端を下に向けて折り曲げ、先端を上に折り返せばよい。この場合、折り曲げ角度を大きくして支持台２をはさむようにすると、ばね作用が生じて装着が確実になるので好ましい。
【００１５】
吊り上げフック３は、施工段階でコンクリートを打設するまではしご筋４を保持していればよいので、細い帯鋼板、例えば直径２．５  ｍｍの裸鋼線や被覆鋼線など、かんたんな材料で手軽に製作することができる。
図６は構築された布基礎の部分正面図で、ＰＣ基礎梁部材１の段付き部１１の上に土台Ｓが載置され、アンカーボルト１２でＰＣ基礎梁部材１に固定されている。段付き部１１の両側には床下換気口Ｖが形成されているが、換気口が不要な基礎の場合にはＰＣ基礎梁部材１に段付き部１１を設けなくてもよい。なお、この図６に示したようにＰＣ基礎梁部材１の下面にインサートナット１４を埋め込んでおき、これに軸ボルト１５を挿入すると、場所打ちコンクリートとの結合がより強固となるので好ましい。
【００１６】
図７は支持台２の変形実施例を示す斜視図で、この支持台２ｄはコンクリートではなくボルトと鉄筋を組み立てて製作される。支持ボルト２１にはナット２２が挿入されている。縦向きの支持ボルト２１の下端にはこれと直角な台筋２４が取り付けられ、また中間の高さには同じく直角方向の施工筋２３が取り付けられている。
図８は図７に示した支持台２ｄを使用して構築した布基礎の部分正面図である。ＰＣ基礎梁部材１の下面には両端近く、例えば端部から  １００ｍｍのところ２か所にインサートナットが埋め込まれている。これに支持台２ｄの支持ボルト２１をねじ込み、ナット２２で高さを決める。これでＰＣ基礎梁部材１が所定高さに支持できる。はしご筋４はＳ字状の吊り上げフック３を使用して施工筋２３から吊り上げ支持すればよい。
【００１７】
なお、以上布基礎の例で説明したが、、基礎梁の部分を全く同様に施工し、支持台の中間から内側へ向けて鉄筋を挿入すればべた基礎を構築することができるのは、あらためて説明するまでもない。また、ＰＣ基礎梁部材相互の接合は、従来の技術の項で説明したようにピン継手によってもよいし、他の継手構造としてもよい。
【００１８】
【発明の効果】
本発明によれば、布基礎やべた基礎の施工に際して、従来のＰＣ礎版に代わって簡易な構造の支持台を局部的に使用することによって労力を軽減し、施工を効率化することができるという、すぐれた効果を奏する。
【図面の簡単な説明】
【図１】本発明の実施例の布基礎を示す斜視図である。
【図２】図１の布基礎の断面図である。
【図３】本発明の実施例の支持台を示す斜視図である。
【図４】本発明の実施例におけるはしご筋を示す平面図である。
【図５】本発明の実施例における吊り上げフック付近の部分斜視図である。
【図６】本発明の実施例の構築された布基礎の部分正面図である。
【図７】本発明における支持台の変形実施例を示す斜視図である。
【図８】図７の支持台を使用して構築した布基礎の部分正面図である。
【図９】従来の技術におけるＰＣ基礎梁部材を示す斜視図である。
【図１０】従来の技術における構築された布基礎の断面図である。
【図１１】従来の技術における他のＰＣ基礎梁部材を示す正面図である。
【図１２】図１１のＰＣ基礎梁部材を示す平面図である。
【符号の説明】
１    ＰＣ基礎梁部材
２    支持台
３    吊り上げフック
４    はしご筋
５    台板
６    場所打ちコンクリート（礎版）
１１    段付き部
１２    アンカーボルト
１３    水平溝
１４    インサートナット
１５    軸ボルト
１６    水平筋
１７    縦溝
１８ａ  、１８ｂ      水平孔
１９ａ  、１９ｂ      継手
２１    支持ボルト
２２    ナット
２３    施工筋
２４    台筋
４１    配力筋
４２    主筋
４３    幅止め筋
４４    補助筋
Ｓ    土台
Ｖ    床下換気口
【図１】
2004238828.tif 000003
【図２】
2004238828.tif 000004
【図３】
2004238828.tif 000005
【図４】
2004238828.tif 000006
【図５】
2004238828.tif 000007
【図６】
2004238828.tif 000008
【図７】
2004238828.tif 000009
【図８】
2004238828.tif 000010
【図９】
2004238828.tif 000011
【図１０】
2004238828.tif 000012
【図１１】
2004238828.tif 000013
【図１２】
2004238828.tif 000014